(57)【要約】  本発明は、ＬＥＤに電気を供給するためのターミナルと、少なくとも１つのＬＥＤとを備えた、ＬＥＤランプを有するＬＥＤランプシステムに関するものであり、ＬＥＤは、電気的接続部によりホルダーに取り付けられ、前記ＬＥＤランプシステムはフィッティングをさらに備え、前記フィッティングおよび前記ホルダーは互いに取外し可能に取り付けられ、前記フィッティングは前記ＬＥＤに適した電気供給を収容し、取付状態で前記ホルダーにおいて前記ターミナルと協力する電気的接続部を備え、前記ホルダーは熱伝導のために配設され、ＬＥＤから前記ホルダーの外表面に熱を輸送するために配設される。【選択図】  図１
2012527086.tif 000002
【特許請求の範囲】
【請求項１】
ＬＥＤランプ（１）とフィッティン（２）とを備えたＬＥＤランプシステムであって、
前記ＬＥＤランプ（１）は、ＬＥＤ（３）に電気を供給するための少なくとも１つのＬＥＤリード（６）に接続されている少なくとも１つの前記ＬＥＤ（３）と、電気ターミナル（７）付きホルダー（４）と、を備え、少なくとも１つの前記ＬＥＤ（３）は前記ホルダー（４）に接続され、少なくとも１つの前記ＬＥＤ（３）に接続されている前記リード（６）は前記ホルダー（４）の前記電気ターミナル（７）に電気伝導方式で接続され、
前記フィッティング（２）および前記ホルダー（４）は互いに取外し可能に取り付けられ、
前記フィッティング（２）には、前記ＬＥＤ（３）に適しており、前記ホルダー（４）でターミナル（７）と協力する電気供給を収容するための電気的接続部（２４）が設けられたＬＥＤランプシステムにおいて、
前記ホルダー（４）は熱伝導用に配設されるが、前記ＬＥＤ（３）から前記ホルダー（４）の外面（９）に熱を輸送するように配設されていることを特徴とするＬＥＤランプシステム。
【請求項２】
前記ホルダー（４）は、良好な熱伝導性を有する素材からなり、厚壁の端部面を有する基本的に厚壁の筒状本体部（８）と、前記電気リード（６）のための少なくとも１つの凹部（１２）と、を備え、前記ＬＥＤ（３）は前記筒状本体部（８）の端部面に取り付けられることを特徴とする請求項１に記載のＬＥＤランプシステム。
【請求項３】
前記電気リード（６）に接続される電気部品（１３）が前記凹部（１２）に収容されることを特徴とする請求項２に記載のＬＥＤランプシステム。
【請求項４】
前記電気部品（１３）は、温度センサーに接続されているディマー回路を備えることを特徴とする請求項３に記載のＬＥＤランプシステム。
【請求項５】
前記電気部品（１３）は、電圧の極性を切り換えるための回路を備えることを特徴とする請求項３又は４に記載のＬＥＤランプシステム。
【請求項６】
前記ホルダー（４）及び前記フィッティング（２）は、これらの表面の少なくとも一部が主として整合する表面を備え、前記フィッティング（２）は主として良好な熱伝導性を有する素材からなることを特徴とする請求項１から５のいずれかに記載のＬＥＤランプシステム。
【請求項７】
前記ホルダー（４）の熱膨張係数は、前記フィッティング（２）の熱膨張係数よりも大きいことを特徴とする請求項６に記載のＬＥＤランプシステム。
【請求項８】
前記ホルダー（４）および前記フィッティング（２）は、本発明に係るフィッティング（２）にのみ例外的に前記ホルダー（４）が嵌合され、本発明に係るホルダー（４）のみが例外的にフィッティング（２）に嵌合されるような形状及びサイズを有することを特徴とする請求項１から７のいずれかに記載のＬＥＤランプシステム。
【請求項９】
前記フィッティング（２）は主として筒状外形を有するフィッティングハウジング（２３）を備え、筒の直径は２６〜２８ｍｍの範囲、３８〜４０ｍｍの範囲、あるいは、５０〜５４ｍｍの範囲であることを特徴とする請求項１から８のいずれかに記載のＬＥＤランプシステム。
【請求項１０】
前記フィッティングハウジング（２３）は、前記ホルダー（４）の取付個所から反対方向に向いた端部において内部ねじ（Ｍ１ＯｘＩ）を有する開口（３１）を備えることを特徴とする請求項１から９のいずれかに記載のＬＥＤランプシステム。
【請求項１１】
前記ホルダー（４）と前記フィッティング（２）との相互付着は、エジソンねじによって行われることを特徴とする請求項１から１０のいずれかに記載のＬＥＤランプシステム。
【請求項１２】
前記エジソンねじの個所における前記ホルダー（４）の外径および前記フィッティング（２）の内径は、１４ｍｍ、２７ｍｍおよび４０ｍｍから１ｍｍ以上の差分を有することを特徴とする請求項１１に記載のＬＥＤランプシステム。
【請求項１３】
前記ホルダー（４）と前記フィッティング（２）との相互付着は、ＢＡ型およびＧＵ型からなる群より選ばれる型からバヨネットシステムによって生成されることを特徴とする請求項１から１０のいずれかに記載のＬＥＤランプシステム。
【請求項１４】
前記ホルダー（４）からの筒壁（９）および前記フィッティング（２）からの筒壁（２８）は、少なくとも１ｍｍ異なる直径を有し、しかし、好ましくは、本発明に係るランプ（１）以外のランプに対して照明産業の標準となるサイズから少なくとも２ｍｍ異なる直径を有することを特徴とする請求項１３に記載のＬＥＤランプシステム。
【請求項１５】
前記フィッティング（２）の内筒面（２８）および前記ホルダー（４）の外筒面（９）のうちの一方は突出部（２７）を備え、前記フィッティング（２）の前記内筒面（２８）および前記ホルダー（４）の前記外筒面（９）のうちの他方は前記フィッティング（２）への前記ホルダー（４）の取付時に前記突出部（２７）が収容される溝（１１）を備えることを特徴とする請求項１３に記載のＬＥＤランプシステム。
【請求項１６】
前記ＬＥＤ（３）側の前記フィッティング（２）は、少なくとも部分的に透明な端部部材（４０）を取り付けるためのねじ（３０）を備えることを特徴とする請求項１から１５のいずれかに記載のＬＥＤランプシステム。
【請求項１７】
前記ＬＥＤ（３）側の前記フィッティング（２）は、少なくとも部分的に透明な端部部材（４０）を取り付けるために円周に分布された伸縮性クランプ（３７）を備えることを特徴とする請求項１から１５のいずれかに記載のＬＥＤランプシステム。
【請求項１８】
前記端部部材（４０）は、百熱電球、キューブ、ブロック、チューブ、球又はろうそくの炎形よりなる群から選ばれた形状を有することを特徴とする請求項１６又は１７に記載のＬＥＤランプシステム。
【請求項１９】
前記ＬＥＤランプ（１）は、前記ＬＥＤ（３）により放出されたビームに位置する飾体（５０）を備えることを特徴とする請求項１から１８のいずれかに記載のＬＥＤランプシステム。
【請求項２０】
前記飾体（５０）は、フィラメント、反射する球、反射する星、及び反射するキューブよりなる群から選ばれた形状であることを特徴とする請求項１９に記載のＬＥＤランプシステム。
【請求項２１】
請求項１から２０のいずれかに記載のＬＥＤランプ（１）。
【発明の詳細な説明】
【技術分野】
【０００１】
本発明は、少なくとも１つの発光ダイオードＬＥＤと、このＬＥＤに電気を供給するための少なくとも１つのＬＥＤ接続部と、を有するＬＥＤランプを備えたＬＥＤランプシステムに関する。
【背景技術】
【０００２】
ＬＥＤ照明は、例外的に長い寿命（過度に高い電圧が供給されないことを想定すれば）および高出力を組み合わせる。この理由から、数多くの照明の電機子にＬＥＤを設ける。従来の照明と関連し、ＬＥＤは特定の問題において全く異なる特性を有する。ＬＥＤは小型であり、且つ、通常の照明よりも熱放出が少量であるものの、その小型サイズのために、このような熱は出力に適切に消費されてＬＥＤの温度が過度に高値に上昇しないことが必要である。なお、ＬＥＤへのエネルギー供給は上手く調節されることが肝要であり、電圧と共に極性が重要な要因である。誤った極性であれば、ＬＥＤは全く作用できず、高過ぎる電圧及び／又は電流は寿命を大幅に短縮させる。
【０００３】
現在市場で入手可能なＬＥＤ照明用電機子においては、電機子の特定の個所に純電圧を低電圧の供給に切り換える変圧器が設けられ、これにより、電機子の他の個所に設けられた１以上のＬＥＤに適切な所要電流を供給する。電機子の定まった位置においてＬＥＤは固設される。しかしながら、これはいくつかの短所を有する。ＬＥＤは出力と色温度において異なる仕様を有するように製造される。使用者が特定の電機子を購入して使用位置に設置する場合、光量が期待レベルに上昇しない可能性が極めて高い。期待よりも遥かに多い光が存在する可能性もあれば、少量の光が存在する可能性もある。なお、光の種類が期待を満たさない可能性がある。光があまりにも白過ぎるか、あるいは、あまりにもソフトな色である可能性がある。しかしながら、ＬＥＤが電機子に固設されるため、ＬＥＤは専門家によってのみ交換するか、あるいは、全体の電機子を交換することを余儀なくされる。これは、使用者にとって望ましくない。なお、電機子のサプライヤーは異なるＬＥＤを有する電機子を製造して保管する必要がある。
【０００４】
ドイツの実用新案ＤＥ２９９１５１４０Ｕ１は、螺合または組付可能なＬＥＤランプを開示しているが、ここで、ランプは、ＬＥＤランプにエネルギーを供給するために電子部品が実装されてもよく、実装されていなくてもよい。ＤＥ２９９１５１４０Ｕ１に記載のＬＥＤランプが、交換可能であり、且つ、変圧器及びできる限り整流器を備えた電機子に使用して好適であるとはいえ、この種のランプはかなりの改善の余地がある。
【先行技術文献】
【特許文献】
【０００５】
【特許文献１】独国実用新案第２９９１５１４０Ｕ１号
【発明の概要】
【発明が解決しようとする課題】
【０００６】
また、既存の照明の交換のためにＬＥＤランプが提供されるが、この場合、小型のＬＥＤが提供すべき特定の利点は利用されない。さらに、既存の照明の交換のためのこれらのＬＥＤランプの寿命は、目的のために特殊に準備されたＬＥＤランプ照明よりもかなり短い。
【課題を解決するための手段】
【０００７】
ＬＥＤ照明の特殊な利点と最適な寿命は、請求項１に係るＬＥＤランプシステムによって達成される。適切な組み立てを備えた交換可能なＬＥＤランプが有用であり、所要の電圧又は電流のための直流の低電圧供給などのＬＥＤランプ用の適切な電気供給源に接続可能であり、ＬＥＤから遠い位置における良好な熱伝導に起因してＬＥＤは得られる光および寿命の量の最適な条件下で作動可能である。
【０００８】
他の光源と関連し、ＬＥＤは小さな出力を使用し、熱に伝達されるこのような出力の割合もまた小さいものの、ＬＥＤの小さな表面積は速やかに高温に導かれる。
【０００９】
このため、ＬＥＤからホルダーの外表面へと遠く熱を輸送する良好な熱伝導特性を備えてホルダーが用いられた方が特に効果的である。ホルダーの外表面がＬＥＤよりも遥かに広いため、冷却特性に対しても同様に適用される。これにより、ＬＥＤはより低い作動温度下で作動可能であるため、寿命を大幅に増大させる。
【００１０】
好適な実施形態において、ホルダーは主として厚壁から構成され、これは、熱性能及び熱輸送の面において肯定的な影響を及ぼし、概してアルミニウムなどの良好な熱伝導能を有する素材から製造されることが好ましい。さらに、アルミニウムは良好な電気伝導体であるため、ホルダーとターミナル及びＬＥＤへの電気供給用のコンダクターの間に良好な電気絶縁を確保するように注意を払う必要がある。
【００１１】
本発明に係るＬＥＤランプシステムの他の好適な実施形態において、ＬＥＤへの電気供給のための電気配線に電気的に接続される電子部品がホルダーの本体部の凹部に収容される。これらの電子部品が温度センサーに接続されたディマー回路を有する場合、最大出力およびサイズと関連して、最大光発生量及び冷却能によりランプシステムを作動させることができる。温度が定められた臨界値を超えると、ディマー回路がＬＥＤを曇らせて生成された熱が減少される。温度センサーおよびディマー回路に加えて、温度センサーの信号が臨界値を超えるとディマーを制御する制御回路が提供される。電子部品が電圧極性を切り換えるための回路を有すると、右側極性を備えた供給電圧がＬＥＤに提供されるように配置することはそれ以上不要であるが、この回路が後続する電圧供給時における誤った極性を修正するためである。
【００１２】
さらに、本発明に係るＬＥＤランプシステムの一層好適な実施形態において、相互装着時に、ホルダー及びフィッティングは表面用部品として少なくとも整合する相互接触表面を含む。次いで、これは、ホルダーからフィッティングへの伝熱を増大させ、フィッティングが良好な熱伝導特性を有する素材を主として含むとき、ＬＥＤの冷却は一層促される。
【００１３】
ホルダーからフィッティングへの伝熱、及びＬＥＤの冷却は、ホルダーの熱膨張係数がフィッティングの熱膨張係数よりも大きな場合に一層促される。次いで、ホルダーとフィッティングとの間の接触、このため、これらの間の伝熱が温度の上昇に伴って増大するであろう。
【００１４】
本発明の好適な実施形態において、本発明によりホルダーがフィッティングに例外的に固定されるように、且つ、フィッティング内において本発明に係るホルダーが例外的に固定されるように、ホルダー及びフィッティングが形状化され且つサイズを有する。これにより、本発明に係るＬＥＤランプを収容するように構成された本発明に係るフィッティングにおいて、他の種類のランプが挿入されることは不可能である。他の種類のランプはＬＥＤランプに電力を供給する変圧器を損傷させるおそれがある。さらに、ホルダーのこのような実施形態によって極めて短時間又は修復不能にＬＥＤランプを直ちに損傷させうるＬＥＤランプ用に配置されていないフィッティングに本発明に係るＬＥＤランプが挿入されることが防がれる。
【００１５】
好適な実施形態において、フィッティングは主として筒状の外部形状のフィッティングハウジングを備えるが、シリンダー径は２６〜２８ｍｍの範囲にあるか、あるいは、３８〜４０ｍｍの範囲にあるか、あるいは、５０〜５４ｍｍの範囲にあり、端部においてホルダーの取付個所から反対方向に向いたフィッティングハウジングには内部螺子とＭ１Ｏｘ１を備えた開口が形成される。これらのサイズはフィッティングの通常のサイズに近く、本発明に係るＬＥＤランプシステムを電機子に設けるためにフィッティングの外部サイズが照明産業の標準サイズと整合する場合に効果的である。さらに、内部螺子Ｍ１Ｏｘ１を有する開口は照明産業において極めて普通である。
【００１６】
本発明の極めて好適な実施形態において、フィッティング及びホルダーは、相互装着のために、エジソンねじなどの公知のシステムにより実施され、エジソンねじの位置におけるホルダーの外径およびフィッティングの内径は、１４ｍｍから、又は２７ｍｍから、又は４０ｍｍから１ｍｍ以上の差分を有する。これにより、本発明に係るフィッティングは、エジソンねじを有する他のランプを収容することができず、本発明に係るＬＥＤランプは、本発明に係るフィッティング以外の他のフィッティングに固定することができない。フィッティング及びホルダーの相互装着のための他の好適な可能性は、ＢＡ又はＧＵ型のバヨネットシステムによるものである。両者の形態は、照明産業において既に公知である。本発明に係るフィッティングがＢＡ又はＧＵ型のバヨネット装着部であって他のランプを収容することができず、本発明に係るＬＥＤランプが本発明に係るフィッティング以外に他のフィッティングに固定できないことを防ぐ効果的な方法は、ホルダーの筒壁とフィッティングの筒壁が本発明に係るランプ以外の他のランプのための照明産業において共通するサイズから少なくとも１ｍｍ、しかしながら、好ましくは、少なくとも２ｍｍの偏差を有する直径を有する場合に達成される。他の実施形態において、これはホルダーの外側筒状の表面を収容するための内側筒状の表面においてフィッティングに突出部が形成され、ホルダーの外側の筒状の表面がホルダーをフィッティングに取り付けるか、あるいは、逆の場合、突出部を収容するための溝を備える場合に達成される。
【００１７】
本発明に係るＬＥＤランプシステムの用途の多様性は、ＬＥＤ側のホルダーに少なくとも部分的に透明な端部部材を取り付けるための螺子が形成されることにより増加される。例えば、このような透明な端部部材は、百熱電球、キューブ、ブロック、チューブ、球又はろうそくの炎のように形成される。これにより、異なる種類のランプの外観がＬＥＤランプシステムで模倣される。なお、端部部材の色の適切な選択は放出光の色に影響する。
【００１８】
本発明に係るＬＥＤ光の外観はＬＥＤによって放出された光ビームに位置する飾体をホルダーに提供することにより装飾され、一例としての飾体は、フィラメント、反射する球、反射する星、又は反射するキューブ状を有する。
【図面の簡単な説明】
【００１９】
今度は、本発明が図面を参照した本発明の特定の実施形態の説明によって一層詳述されるが、ここで、
【図１】本発明に係るＬＥＤランプシステムの実施形態の例の分解図を示し、
【図２ａ】組み立て状態の図１に示すランプシステムの断面を示し、
【図２ｂ】図２ａのＬＥＤランプシステムのＬＥＤランプとフィッティングを示し、
【図３】図２に示すランプシステムの側面図を示し、
【図４】端部部材が提供された本発明に係るＬＥＤランプシステムの実施形態の例を示し、
【図５】端部部材と飾体が提供された本発明に係るＬＥＤランプシステムの実施形態の例を示し、
【図６ａ】前方位からランプが螺着され、フィッティングの上に端部部材が組み付けられた状態の端部部材を備えた図１に示すＬＥＤランプシステムの実施形態の分解斜視図を示し、
【図６ｂ】前方下からランプが螺着され、フィッティングの上に端部部材が組み付けられた状態の端部部材を備えた図１に示すＬＥＤランプシステムの実施形態の分解斜視図を示し、
【図６ｃ】フィッティング上にランプが螺着され、フィッティングの上に端部部材が組み付けられた状態の端部部材を備えた図１に示すＬＥＤランプシステムの実施形態の分解斜視図を示し、
【図７】本発明に係るホルダーの実施形態の詳細を示し、
【図８】端部部材を備えた本発明に係るＬＥＤランプシステムの例を示す。
【発明を実施するための形態】
【００２０】
図１は、本発明に係るＬＥＤランプシステムの実施形態の例の分解図を示し、図２ａは、組み立て状態の全体として１で示されるＬＥＤランプと、２で示される対応するフィッティングと、を有する図１に示すランプシステムの断面を示す。明確性のために、図２ｂは互いの上にＬＥＤランプ１とフィッティング２を断面にて示す。
【００２１】
ＬＥＤランプ１は、ＬＥＤ３、ホルダー４及びキャップ５を備える。本発明に係るＬＥＤランプシステムは変圧器を備えず、このため、ＬＥＤ３と直結するように準備される電気供給が行われる必要がある。ＬＥＤ３は、ホルダー４の上にキャップ５を螺着して保持される。ＬＥＤ３は、ホルダー４の接触脚７と伝導性をもって接続される電気接続部６を備える。また、ホルダー４は、筒状外壁９と、ベベル付き下部１０を有する厚壁のアルミニウム本体部８と、を備える。
【００２２】
一方、電気接続部６と、一方の伝導性接続・接触脚７と、他方の本体部８との間に、図示しない電気的絶縁が形成される。
【００２３】
図７にホルダー本体部８の他の実施形態が示される。図７には、ＬＥＤ３は示していないが、ＬＥＤ３が取り付けられる厚壁の端部面３８が一方の端部に配備された厚壁の筒状ホルダー本体部８が示される。ホルダー本体部８の内部凹部には電子部品を備えた回路板３２が収容されるが、ホルダー本体部８の内部凹部に配置された溝に絶縁エッジ３３が固定される。なお、図７には回路板３２への絶縁された電気供給リード３５と、回路板３２からＬＥＤ３への絶縁された電気供給リード３４が示される。端部面３８にはリード３４が通過するように開口３６が形成される。実際の実験および熱モデルによる計算から、ホルダー本体部として概ね１８ｍｍの直径および長さを有し、２ｍｍの壁厚を有するアルミニウムが十分な熱放出を提供することを示す。
【００２４】
ＬＥＤランプ１およびフィッティング２は、ＧＵバヨネット接続により互いに接続される。ＧＵバヨネット接続は、ランプとフィッティングとの間の照明産業における共通接続である。このようなフィッティングをもって、ランプを交換することが極めて簡単であり、これは、どの消費者でも道具を用いることなく手を僅かに移動することで行われる。
【００２５】
フィッティング２は、フィッティングスリーブ２１、接続ブッシング２２、及びフィッティングハウジング２３を備える。図１において、ブッシング２２の上板はブッシング２２から切り離されて別途に示されるため、上から電気コンタクト２４が見えるが、これは、ＬＥＤランプ１の接触脚７と接触するように構成される。ブッシング２２の上板には開口２５が見られるが、普通、これを介してＧＵバヨネットフィッティングの接触脚７が入り込むことができ、僅かに回されつつ固定される。ブッシング２２は、フィッティングハウジング２３にスリーブ２１を螺着してその位置に固定される。なお、フィッティングハウジング２３は、ブッシング２２の側壁に形成された図示しない溝に固定される突出部２６を備える。
【００２６】
ＬＥＤランプ１およびフィッティング２の装着中に、ＬＥＤランプ１はフィッティング２のスリーブ２１内に滑動するため、接触脚７は開口２５の広い個所を介して入り込むことができ、その後、ランプ１を僅かに回すことにより、接触脚７はコンタクト２４と接し、開口２５の狭い個所に固定される。このために、筒状外壁９とベベル付き端部１０はフィッティングスリーブ２１の筒状内壁２８とベベル形成個所２９に接することとなる。このような接触により、フィッティング２へのランプ１の位置が安定的に固定されるだけではなく、厚壁のアルミニウム本体部８を介してＬＥＤ３からスリーブ２１の外面への良好な熱伝達が生成され、且つ、フィッティングハウジング２３の外面にも生成されるため、広い表面を介して熱が放出される。これにより、使用中のＬＥＤ３の温度は大幅に低下し、これは、ＬＥＤの寿命に肯定的な影響を及ぼす。
【００２７】
さらに、図１には、フィッティングスリーブ２１の内壁２８に突出部２７が形成され、  ホルダー４の外壁９には溝１１が形成されることが示される。突出部２７および溝１１は形状が相補的であるため、ＬＥＤランプ１のフィッティング２への装着中に突出部２７は溝１１に位置する。これにより、ＬＥＤランプ１はフィッティング２に１つの方式でしか装着できず、このため、接触脚７はユニークな方式でフィッティングのコンタクト２４に接触する。これにより、ＬＥＤ３の電気供給の正しい極性は保証される。さらに、突出部２７および溝１１はＬＥＤランプ１が本発明に係るフィッティング以外に他のフィッティングには装着できないことを保証し、且つ、本発明に係るＬＥＤランプ以外には本発明に係るフィッティングに他のランプは装着できない。これにより、ＬＥＤランプ１又は変圧器を損傷させうる高価な誤りが防がれる。
最後に、フィッティングハウジング２３は底面側に開口３１が形成されるが、その内部に螺子Ｍ１ＯｘＩが形成され、簡単で且つ普通の方式により、フィッティング２が電機子に装着される。
【００２８】
上述したように、本発明に係るＬＥＤランプシステムの実施形態の例において、ＬＥＤランプ１とフィッティング２との間にＧＵバヨネットカップリングを有する例が示される。エジソンねじ又はＢＡバヨネットカップリングなどのＬＥＤランプとフィッティングとの間の他のカップリングによりＬＥＤランプシステムが同様の方式により実行可能であることは明らかである。
【００２９】
本発明に係るフィッティング２が電機子に装着される場合、これは、広い範囲の本発明に係るＬＥＤランプ１から極めて簡単な方式により使用者が選択できるようにし、明るさと色彩の面において所望の照明を使用者が構成することができ、これにより、電機子のサプライヤーの選択に依存しないようにできる。
【００３０】
図１及び図２には、フィッティングスリーブ２１の外側３０に螺子が設けられたことが示される。この螺子の上に端部部材４０が螺着され、図４には他の実施形態が示される。
【００３１】
端部部材４０は、例えば、透明ガラス又は無光沢ガラスから製造される。また、端部部材は完全に又は部分的に透明であるか、あるいは、反射可能である。これにより、所望の通りに使用者が照明を配置する可能性は一層増大される。図８において、端部部材４０を装着する他の実施形態が示される。このような装着は、円周に端部部材４０の内側において伸縮性よく結合されて分布された多くのクランプ３７を使用して行われる。
【００３２】
本発明に係る交換可能なＬＥＤランプによって異なるＬＥＤランプ１からの選択の多様性が一層確保されると、使用者にとって魅力的である。例えば、これは、その例が図５に示された異なる飾体５０を有するＬＥＤランプ１を固定することによって可能である。これらの飾体５０は、ＬＥＤ３の光ビームに位置するため、ＬＥＤランプ１の使用中に飾体が照明される。飾体５０は、異なる形状を有し、好ましくは、強い反射性を有する。
【００３３】
本発明に係るＬＥＤランプシステムの実施形態の例の全体的な効果を提供するために、図６ａは、端部部材を前方および上からみた図１に示すＬＥＤランプシステムの実施形態の分解斜視図を示す。図６ｂは、前方下からみた図６ａのイメージを示し、図６ｃは、端部部材がフィッティングの上に螺着されることによりランプを備えたフィッティングの上の端部部材が組み付けられた状態を示す。端部部材とフィッティングとの間に、これまで説明されてない弾性プラスチックが配設されるが、これは、普通、互いに接触している２つの硬くて脆い部品の接合部において比較的軟性の部分として働く。
本発明の特定の実施形態が説明された。このような説明は、単に明確性のためのものであり、請求の範囲に記載の本発明を制限するためのものではない。
【符号の説明】
【００３４】
１：ＬＥＤランプ
２：フィッティング
３：ＬＥＤ
４：ホルダー
５：キャップ
６：ＬＥＤの電気的リード
７：接触脚
８：ホルダーの厚壁の熱伝導本体部
９：ホルダーの筒状外壁
１０：ベベル付きホルダー
１１：溝
１２：本体部の凹部
１３：電子部品
２１：フィッティングスリーブ
２２：接続ブッシング
２３：フィッティングハウジング
２４：電気的コンタクト
２５：開口
２６、２７：突出部
２８：筒内壁
２９：ベベル
３０：螺子付きフィッティングスリーブの外部
３１：開口
３２：回路板
３３：絶縁エッジ
３４：電気リード
３５：電気リード
３６：開口
３７：伸縮性クランプ
３８：端部面
４０：端部部材
５０：飾体
【図１】
2012527086.tif 000003
【図２ａ】
2012527086.tif 000004
【図２ｂ】
2012527086.tif 000005
【図３】
2012527086.tif 000006
【図４】
2012527086.tif 000007
【図５】
2012527086.tif 000008
【図６ａ】
2012527086.tif 000009
【図６ｂ】
2012527086.tif 000010
【図６ｃ】
2012527086.tif 000011
【図７】
2012527086.tif 000012
【図８】
2012527086.tif 000013
【手続補正書】
【提出日】平成22年10月28日(2010.10.28)
【手続補正１】
【補正対象書類名】特許請求の範囲
【補正対象項目名】全文
【補正方法】変更
【補正の内容】
【特許請求の範囲】
【請求項１】
ＬＥＤランプ（１）とフィッティング（２）とを備えたＬＥＤランプシステムであって、
前記ＬＥＤランプはＬＥＤ（３）に電気を供給するための少なくとも１つのＬＥＤリード（６）に接続されている少なくとも１つの前記ＬＥＤ（３）と、電気ターミナル（７）付きホルダー（４）と、を備え、少なくとも１つの前記ＬＥＤ（３）は前記ホルダー（４）に接続され、前記少なくとも１つのＬＥＤ（３）に接続されている前記リード（６）は前記ホルダー（４）の電気ターミナル（７）に電気伝導方式で接続され、
前記フィッティング（２）および前記ホルダー（４）は互いに取外し可能に取り付けられ、
前記フィッティング（２）には、前記ＬＥＤ（３）に適しており、前記ホルダー（４）でターミナル（７）と協力する電気供給を収容するための電気的接続部（２４）が設けられたＬＥＤランプシステムにおいて、
前記ホルダー（４）は、熱を伝熱し、且つ、ＬＥＤ（３）から前記ホルダー（４）の外面（９）に熱を輸送するための手段を備えることを特徴とするＬＥＤランプシステム。
【請求項２】
前記ホルダー（４）によって形成された熱を伝熱し、且つ、熱を輸送するための前記手段は、良好な熱伝導性を有する素材からなり、厚壁の端部面を有する基本的に厚壁の筒状本体部（８）と、前記電気リード（６）のための少なくとも１つの凹部（１２）と、を備え、前記ＬＥＤ（３）は前記筒状本体部（８）の端部面に取り付けられることを特徴とする請求項１に記載のＬＥＤランプシステム。
【請求項３】
前記電気リード（６）に接続される電気部品（１３）が前記凹部（１２）に収容されることを特徴とする請求項２に記載のＬＥＤランプシステム。
【請求項４】
前記電気部品（１３）は、温度センサーに接続されているディマー回路を備えることを特徴とする請求項３に記載のＬＥＤランプシステム。
【請求項５】
前記電気部品（１３）は、電圧の極性を切り換えるための回路を備えることを特徴とする請求項３又は４に記載のＬＥＤランプシステム。
【請求項６】
前記ホルダー（４）及び前記フィッティング（２）は、これらの表面の少なくとも一部が主として整合する表面を備え、前記フィッティング（２）は主として良好な熱伝導性を有する素材からなることを特徴とする請求項１から５のいずれかに記載のＬＥＤランプシステム。
【請求項７】
前記ホルダー（４）の熱膨張係数は、前記フィッティング（２）の熱膨張係数よりも大きいことを特徴とする請求項６に記載のＬＥＤランプシステム。
【請求項８】
前記ホルダー（４）および前記フィッティング（２）は、本発明に係るフィッティング（２）にのみ例外的に前記ホルダー（４）が嵌合され、本発明に係るホルダー（４）のみが例外的にフィッティング（２）に嵌合されるような形状及びサイズを有することを特徴とする請求項１から７のいずれかに記載のＬＥＤランプシステム。
【請求項９】
前記フィッティング（２）は主として筒状外形を有するフィッティングハウジング（２３）を備え、筒の直径は２６〜２８ｍｍの範囲、３８〜４０ｍｍの範囲、あるいは、５０〜５４ｍｍの範囲であることを特徴とする請求項１から８のいずれかに記載のＬＥＤランプシステム。
【請求項１０】
前記フィッティングハウジング（２３）は、前記ホルダー（４）の取付個所から反対方向に向いた端部において内部ねじ（Ｍ１ＯｘＩ）を有する開口（３１）を備えることを特徴とする請求項１から９のいずれかに記載のＬＥＤランプシステム。
【請求項１１】
前記ホルダー（４）と前記フィッティング（２）との相互付着は、エジソンねじによって行われることを特徴とする請求項１から１０のいずれかに記載のＬＥＤランプシステム。
【請求項１２】
前記エジソンねじの個所における前記ホルダー（４）の外径および前記フィッティング（２）の内径は、１４ｍｍ、２７ｍｍおよび４０ｍｍから１ｍｍ以上の差分を有することを特徴とする請求項１１に記載のＬＥＤランプシステム。
【請求項１３】
前記ホルダー（４）と前記フィッティング（２）との相互付着は、ＢＡ型およびＧＵ型からなる群より選ばれる型からバヨネットシステムによって生成されることを特徴とする請求項１から１０のいずれかに記載のＬＥＤランプシステム。
【請求項１４】
前記ホルダー（４）からの筒壁（９）および前記フィッティング（２）からの筒壁（２８）は、少なくとも１ｍｍ異なる直径を有し、しかし、好ましくは、本発明に係るランプ（１）以外のランプに対して照明産業の標準となるサイズから少なくとも２ｍｍ異なる直径を有することを特徴とする請求項１３に記載のＬＥＤランプシステム。
【請求項１５】
前記フィッティング（２）の内筒面（２８）および前記ホルダー（４）の外筒面（９）のうちの一方は突出部（２７）を備え、前記フィッティング（２）の前記内筒面（２８）および前記ホルダー（４）の前記外筒面（９）のうちの他方は前記フィッティング（２）への前記ホルダー（４）の取付時に前記突出部（２７）が収容される溝（Ｈ）を備えることを特徴とする請求項１３に記載のＬＥＤランプシステム。
【請求項１６】
前記ＬＥＤ（３）側の前記フィッティング（２）は、少なくとも部分的に透明な端部部材（４０）を取り付けるためのねじ（３０）を備えることを特徴とする請求項１から１５のいずれかに記載のＬＥＤランプシステム。
【請求項１７】
前記ＬＥＤ（３）側の前記フィッティング（２）は、少なくとも部分的に透明な端部部材（４０）を取り付けるために円周に分布された伸縮性クランプ（３７）を備えることを特徴とする請求項１から１５のいずれかに記載のＬＥＤランプシステム。
【請求項１８】
前記端部部材（４０）は、百熱電球、キューブ、ブロック、チューブ、球又はろうそくの炎形よりなる群から選ばれた形状を有することを特徴とする請求項１６又は１７に記載のＬＥＤランプシステム。
【請求項１９】
前記ＬＥＤランプ（１）は、前記ＬＥＤ（３）により放出されたビームに位置する飾体（５０）を備えることを特徴とする請求項１から１８のいずれかに記載のＬＥＤランプシステム。
【請求項２０】
前記飾体（５０）は、フィラメント、反射する球、反射する星、及び反射するキューブよりなる群から選ばれた形状であることを特徴とする請求項１９に記載のＬＥＤランプシステム。
【請求項２１】
請求項１から２０のいずれかに記載のＬＥＤランプ（１）。
【国際調査報告】
2012527086.tif 000014
2012527086.tif 000015